(57)【要約】【課題】ホッパフランジの温度を速やかに上昇安定させ、ホッパ下部の温度を上げることで可塑化能力の向上と、安定した樹脂の可塑化を実現する。【解決手段】ホッパフランジ３の前段に棒状のヒータ１と、ホッパフランジ３の後段に冷却水配管２と、ホッパフランジ３の中央位置に熱電対８とを設置し、ホッパフランジ３の温度を制御できるようにし、その温度を７０℃から１３０℃の範囲において制御する。【選択図】図１
2006272600.tif 000002
【特許請求の範囲】
【請求項１】
温度制御される射出成形機のホッパフランジにおいて、
前記ホッパフランジの前段に加熱装置を、後段に冷却装置を配置し、ホッパ下部の温度を制御することを特徴とする射出成形機のホッパフランジ
【請求項２】
前記ホッパ下部の温度を制御するための温度検出器を、加熱装置と冷却装置の中間に設けたことを特徴とする請求項１に記載の射出成形機のホッパフランジ
【請求項３】
前記射出成形機が備えるスクリュのＬ／Ｄが、１１〜１５の範囲であることを特徴とする請求項１に記載の射出成形機のホッパフランジ
【請求項４】
前記射出成形機で使用するシクロオレフィン樹脂を成形する時のホッパ下部の温度範囲が７０〜１３０℃に温度制御されることを特徴とする請求項１に記載の射出成形機のホッパフランジ
【発明の詳細な説明】
【技術分野】
【０００１】
本発明は、射出成形機のホッパフランジにおいて、ホッパ下部の温度制御を行うこと関するものである。
【背景技術】
【０００２】
従来この種の装置としては、下記特許文献１で提案されているものがあった。下記特許文献１には、フランジにフランジ溝、シリンダにスプライン形状の溝、シリンダにシリンダ溝を形成して、それらの何れかにより、シリンダとフランジとの間の接触面積を少なくして、シリンダからフランジへの熱伝導を少なくすることにより、材料投入口であるホッパ口での樹脂材料の溶融付着を防止する構成が記載されている。
【０００３】
下記特許文献１に記載してある従来技術は、標準的なホッパフランジで現在のほとんどの射出成形機に採用されている。シリンダのヒータ熱で材料投入口の温度が上がって、投入された樹脂材料が溶融付着することを防ぐため、ホッパフランジに冷却水用穴が開けてあり、冷却水を流せるようになっている。
【０００４】
また、下記特許文献２には、樹脂導入孔よりも後端側に温調手段を設けて、樹脂の特性に応じた予熱あるいは冷却を行う射出成形機が記載されている。
【０００５】
同じく、下記特許文献３には、熱電対を用いて、ホッパ下部温度を制御するための温度調節設備を備えた射出成形機が記載されている
【特許文献１】特開２００３−３９５１３号公報
【特許文献２】特開平８−９９３４０号公報
【特許文献３】特開２０００−３２６３７８号公報
【発明の開示】
【発明が解決しようとする課題】
【０００６】
従来の装置は、シリンダヒータ熱の伝導によりホッパフランジの温度上昇を防ぐために、ホッパフランジを冷却する装置で、ホッパフランジを加熱する装置ではない。もちろん、シリンダにはヒータなどの加熱装置があり、シリンダの熱がホッパフランジに伝導してホッパフランジ内にあるホッパ下部の近辺も温度は上がり、ホッパフランジの冷却装置への冷却水の水量を少なくすることにより、ホッパ下部近辺の温度を上げることは可能である。
【０００７】
しかし、シリンダの温度の上昇よって、ホッパ下部の温度が上昇するには時間がかかる。特に、生産の立上げ時のシリンダヒータの電源投入後、シリンダの温度が上昇してから、さらに時間がかかってホッパ下部の温度は上昇していく。
【０００８】
したがって、シリンダの温度が上昇後、安定したことを確認して成形を開始しても、ホッパ下部の温度は上昇しないまま成形を開始する可能性がある。
【０００９】
次の課題は、ホッパフランジにはヒータなど加熱装置がなく、シリンダのヒータからの熱の伝導だけで、ホッパフランジの温度は上がっていくため、ホッパフランジの設定温度を高く設定しても、設定温度に達しないことがある。
【００１０】
例えば、スクリュ径８４ｍｍのシリンダでホッパフランジの冷却装置の冷却水を完全に止めた場合、シリンダ設定温度２８０℃で、ホッパフランジの温度は約６５℃、シリンダ設定温度３００℃で、ホッパフランジ温度７５℃までしか上がらなかった。さらに、シリンダ温度が設定に達した後、ホッパフランジの温度が安定するまで約３０分以上を必要とした。
【００１１】
これは、ホッパフランジからの空気中への放熱とホッパフランジから射出装置への熱伝熱のために、ホッパフランジの温度設定まで実際の温度は上がらないからである。通常のスクリュ及びシリンダでは、スクリュは、その長さＬと直径Ｄとの比であるＬ／Ｄが１８〜２２と十分に大きく、投入された樹脂の予熱はこの長いスクリュ内で行われるため、ホッパ下部の温度を高くする必要はない。
【００１２】
しかし、スクリュのＬ／Ｄが１５以下のような短いスクリュの場合、スクリュ内での予熱が十分でないため、ホッパフランジの温度を上げることが、可塑化能力の向上と安定した可塑化を実現するために重要となってくる。
【課題を解決するための手段】
【００１３】
本発明は、具体的には、図１に示すように、ホッパフランジ３の前段に加熱装置としての棒状のヒータ１と、ホッパフランジ３の後段に冷却装置としての冷却水配管２と、加熱装置と冷却装置の中間であるホッパフランジ３の中央位置に温度検出器としての熱電対８とを設置することを特徴とする。
【００１４】
これによって、ホッパ下部の温度が制御でき、特に、その温度を７０℃から１３０℃の範囲において制御する。また、スクリュは、通常のスクリュより短く、Ｌ／Ｄは１１〜１５とする。
【発明の効果】
【００１５】
本発明によると、ホッパフランジに加熱装置と冷却配管を設置したので、ホッパフランジの温度の上昇が早くなり、また、ホッパフランジの温度を高く設定できるため、投入された樹脂の予熱がホッパフランジ内でも可能になる。
【００１６】
また、スクリュの長さＬと直径Ｄとの比であるＬ／Ｄが１１〜１５の短いスクリュの場合でも、可塑化能力の向上が実現でき、安定した可塑化状態の樹脂を射出成形することが可能となる。
【００１７】
このような、短いスクリュは、機械全長を短くし、設置面積を小さくできるため、工場レイアウト上有利である。
【発明を実施するための最良の形態】
【００１８】
以下、図面を用いて、本発明の実施例を説明する。
【実施例】
【００１９】
図１は、本発明に係る射出成形機のホッパフランジの概略図であって、棒状のヒータ１が、ホッパフランジ３の先端側に設置され、シリンダ４に設けられたシリンダヒータ５からの熱の伝導に頼らず、ホッパフランジ３の加熱が可能である。棒状のヒータ１と、ホッパフランジ３の中央に設置された熱電対８とは、図には示していないが温度制御装置に接続線１０で接続されており、ホッパフランジ３の温度を制御することができる。
【００２０】
また、冷却水配管２は、ホッパフランジ３の後方に設置し、熱電対８が接続された温度制御装置から図には示していないが通水弁へ電気信号を出して、ホッパフランジ３が加熱しすぎた場合に冷却水を流して、ホッパフランジ３を冷却する。
【００２１】
このように、ホッパフランジ３が温度制御されることで、ホッパ７下部の温度も制御され、ホッパ７から樹脂が投入されると、樹脂は溶融して射出装置９に設けられたスクリュ６により押し出される。
【００２２】
図２は、図１の断面図であって、シリンダ４の内部にはスクリュ６が設けられている。他の符号は図１と同じものを示す。
【００２３】
図３は、図１に示すホッパフランジのＢＢ断面図であって、シリンダ４を囲むホッパフランジ３内に設けられたヒータ１を示す。
【００２４】
図４は、図１に示すホッパフランジのＣＣ断面図であって、シリンダ４を囲むホッパフランジ３内に設けられた冷却水配管２を示す。
【００２５】
このようにホッパフランジ３に設置されたヒータ１は、ホッパフランジ３の温度を上げることができ、冷却水配管２はホッパフランジ３の温度を下げることができる。
【００２６】
これにより、ホッパフランジ３の温度を、シリンダヒータ５の熱の伝導だけに頼らないで、上げることができ、ホッパフランジ３からの大気中への放熱で、ホッパフランジ３の実際の温度が設定された温度まで上がらないことを防止できる。
【００２７】
特に、スクリュのＬ／Ｄが１５以下のような短いスクリュにおいても、ホッパフランジ３内に投入された樹脂を予熱できるため、可塑化能力の向上が実現できる。
【００２８】
また、ホッパフランジ３に設置された冷却水配管２に冷却水を流すことで、ホッパフランジ３の温度を下げることができる。
【００２９】
これにより、大気中の放熱だけに頼らず、ホッパフランジ３の温度を下げることができるため、正確で安定した温度の制御が可能になる。また、ホッパフランジ３の熱が、ホッパフランジ３を締結する射出装置９に伝わることを防止できるので、射出装置９の温度が上昇することを防止できる。
【００３０】
以上、樹脂の種類によっては、ホッパフランジ３の温度を上げると、樹脂のペレットの表面が溶融し、ホッパ７の口で樹脂同志がくっ付いて、ホッパ７の口に付着してブリッジ状態になり、樹脂がスクリュ６に落下していかなくなる。
【００３１】
樹脂として、汎用プラスチックスである、ＡＢＳ、ＰＰ、ＰＥなどは、ホッパフランジの温度を６０〜７０℃以上にすると、ブリッジを起こしてしまう。樹脂のガラス転移点、融点、熱変形温度などの熱特性で、ブリッジを起こす温度を明確に示す特性値はない。同じ樹脂でも形状・大きさ・表面粗度・押し付け圧力が違うと、くっ付く温度が違うため、明確な数値化が困難なためと思われる。よって、樹脂のカタログなどでは、ホッパフランジの温度の推奨値は、２０〜３０℃の範囲を持って、低めに記載されている。
【００３２】
そこで、シクロオレフィンポリマーの１種類で、テストを行ったところ、１４０℃では樹脂がくっ付いて固まりになったが、１２０℃では樹脂は固まりにならず、ペレットの状態を保った。この樹脂のガラス転移点は、１００℃であった。
【００３３】
図５は、ホッパ部温度と可塑化能力を表したグラフであって、斜線部で表した範囲が１４０℃以上でペレットが固まった範囲で、シクロオレフィンポリマーでホッパ７下部の温度設定ができない範囲である。
【００３４】
さらに、この樹脂を用いて、Ｌ／Ｄが１１であるスクリュで射出成形を行ったところ、図５に示すようにホッパ７下部のホッパ部温度が高くなると可塑化能力が高くなり、可塑化時間のバラツキも小さくなった。ただし、前述のペレットが固まる温度があるため、可塑化能力を上げるために、ホッパ下部の温度を高くすればよいわけではなく、１３０℃が上限となる。
【００３５】
すなわち、Ｌ／Ｄが１１〜１５の範囲のスクリュにおいて、シクロオレフィンポリマーでは、ホッパフランジの温度を７０度以上に高くすることで、可塑化能力の向上が実現でき、１３０℃以下にすることで、樹脂のペレットがホッパ口でブリッジを起こすこともない。
【図面の簡単な説明】
【００３６】
【図１】射出成形機のホッパフランジの概略図
【図２】図１に示すホッパフランジの断面図
【図３】図１に示すホッパフランジのＢＢ断面図
【図４】図１に示すホッパフランジのＣＣ断面図
【図５】ホッパ部温度と可塑化能力を表したグラフを示す図
【符号の説明】
【００３７】
１…棒状ヒータ、２…冷却水配管、３…ホッパフランジ、４…シリンダ、５…シリンダヒータ、６…スクリュ、７…ホッパ、８…熱電対、９…射出装置
【図１】
2006272600.tif 000003
【図２】
2006272600.tif 000004
【図３】
2006272600.tif 000005
【図４】
2006272600.tif 000006
【図５】
2006272600.tif 000007